(57)【要約】【課題】  本発明は、神輿の組み立てに際していわゆる担ぎ棒同志の連結に麻紐を用いずかつ専門の職人によらずに簡単に連結できると共に安全にきっちりと結び付けることができ、更に分解に際して簡単に分解できる神輿の連結構造及び連結部材の提供を課題とする。【解決手段】  係る課題は親棒又は脇棒と横棒との交差部分に棒の接触面以外の面を覆うと共に棒の他の外周面の形状に合致した覆部本体と棒の幅方向両側に突出した鍔部と該鍔部に係止部材とを有する覆部を、それぞれの交差部分の棒に装着した上、それぞれの鍔部の係止部材により覆部同士を接触面方向に圧着することによって解決できる。【選択図】    図１
2005144031.tif 000002
【特許請求の範囲】
【請求項１】
神輿の親棒又は脇棒と横棒とを連結する連結構造であって、
親棒又は脇棒と横棒との交差部分において親棒又は脇棒と横棒との接触面以外の面を覆うと共に親棒又は脇棒の他の外周面の形状に合致した覆部本体２０と、覆部本体２０から交差面に略平行方向に該棒の幅方向両側に突出した鍔部２３と、該鍔部に係止部材とを有する親棒又は脇棒の覆部２と、
親棒又は脇棒と横棒との交差部分において親棒又は脇棒と横棒との接触面以外の面を覆うと共に横棒の他の外周面の形状に合致した覆部本体２０´と、覆部本体２０´から交差面に略平行方向に該棒の幅方向両側に突出した鍔部２３´と、該鍔部２３´に係止部材とを有する横棒の覆部２´とからなり、
神輿の親棒又は脇棒と横棒との交差部分に、親棒又は脇棒の覆部２を親棒又は脇棒に嵌着すると共に横棒の覆部２´を横棒に嵌着し、それぞれの鍔部２３、２３´に設けた係止部材により親棒又は脇棒の覆部２と横棒の覆部２´とを接触面方向に圧着することにより神輿の親棒又は脇棒と横棒とを連結することを特徴とする神輿の親棒又は脇棒と横棒とを連結する連結構造。
【請求項２】
神輿の親棒又は脇棒と横棒とを連結する連結構造であって、
親棒又は脇棒と横棒との交差部分において親棒又は脇棒と横棒との接触部分以外であって少なくとも接触部分の対向面の形状に合致した部分を有する親棒又は脇棒を覆う覆部本体２０と、覆部本体２０から交差部分に略平行方向に該棒の幅方向両側に突出した鍔部２３と、該鍔部２３に係止部材とを有する親棒又は脇棒の覆部２と、
親棒又は脇棒と横棒との交差部分において親棒又は脇棒と横棒との接触部分以外であって少なくとも接触部分の対向面の形状に合致した部分を有する横棒を覆う覆部本体２０´と、覆部本体２０´から交差部分に略平行方向に該棒の幅方向両側に突出した鍔部２３´と、該鍔部２３´に係止部材とを有する横棒の覆部２´とからなり、
神輿の親棒又は脇棒と横棒との交差部分に、親棒又は脇棒の覆部２を親棒又は脇棒に嵌着すると共に横棒の覆部２´を横棒に嵌着し、それぞれの鍔部２３、２３´に設けた係止部材により親棒又は脇棒の覆部２と横棒の覆部２´とを圧着することにより神輿の親棒又は脇棒と横棒とを連結することを特徴とする神輿の親棒又は脇棒と横棒とを連結する連結構造。
【請求項３】
棒の側面又は高さ方向に位置する覆部本体２０、２０´の側面が棒の側面又は高さよりやや短い事を特徴とする請求項１又は２のいずれかに記載の神輿の親棒又は脇棒と横棒とを連結する連結構造。
【請求項４】
親棒又は脇棒の覆部２と横棒の覆部２´とを両者の両鍔部２３、２３´を接する方向で９０度ずらせて向き合わせた場合に、少なくとも両者の鍔部２３、２３´の四隅が重なるそれぞれの鍔部２３、２３´を有すると共に、該重なる部分にそれぞれ係止部材を有することを特徴とする請求項１乃至３のいずれかに記載の神輿の親棒又は脇棒と横棒とを連結する連結構造。
【請求項５】
親棒又は脇棒の幅方向の長さと親棒又は脇棒の覆部２の両鍔部２３、２３の幅方向の長さとの和と、横棒の覆部２´の鍔部２３´の長手方向の長さとが略一致すると共に、両者の該鍔部２３、２３´の重なる部分にそれぞれ係止部材を有することを特徴とする請求項１乃至４のいずれかに記載の神輿の親棒又は脇棒と横棒とを連結する連結構造。
【請求項６】
覆部２、２´の鍔部２３、２３´の係止部材が孔２４、２４´よりなり、親棒又は脇棒の覆部２の鍔部２３の孔２４と横棒の覆部２´の鍔部２３´の孔２４´とが配設の際同一軸芯上に位置するものであり、親棒又は脇棒の覆部２の鍔部２３の孔２４と横棒の覆部２´の鍔部２３´の孔２４´とにボルト２５を挿通することにより親棒又は脇棒の覆部２と横棒の覆部２´を棒の接触方向に圧着することを特徴とする請求項１乃至５のいずれかに記載の神輿の親棒又は脇棒と横棒とを連結する連結構造。
【請求項７】
少なくとも神輿の親棒又は脇棒と横棒との交差部分において親棒又は脇棒又は横棒のいずれかに配設し、神輿の親棒又は脇棒と横棒とを連結する連結部材であって、
該交差部分の接触面以外の面を覆うと共に該棒の他の外周面の形状に合致した覆部本体２０と、覆部本体２０から交差面に略平行方向に該棒の幅方向両側に突出した鍔部２３と、該鍔部２３に形成した係止部材とを有する覆部２からなることを特徴とする神輿の親棒又は脇棒と横棒とを連結する連結部材。
【請求項８】
少なくとも神輿の親棒又は脇棒と横棒との交差部分において親棒又は脇棒又は横棒のいずれかに配設し、神輿の親棒又は脇棒と横棒とを連結する連結部材であって、
該交差部分の接触部分以外であって少なくとも接触部分の対向面の形状に合致した部分を有する該棒を覆う覆部本体２０と、覆部本体２０から交差部分に略平行方向に該棒の幅方向両側に突出した鍔部２３と、該鍔部２３に形成した係止部材とを有する覆部２からなることを特徴とする神輿の親棒又は脇棒と横棒とを連結する連結部材。
【請求項９】
棒の側面又は高さ方向に位置する覆部本体２０の側面が棒の側面又は高さよりやや短い事を特徴とする請求項７又は８のいずれかに記載の神輿の親棒又は脇棒と横棒とを連結する連結部材。
【請求項１０】
覆部２の鍔部２３と覆部２の覆部本体２０との間にリブ部２６を有することを特徴とする請求項７乃至９のいずれかに記載の神輿の親棒又は脇棒と横棒とを連結する連結部材。
【請求項１１】
覆部２及び／又はリブ部２６を金属製部材で構成したことを特徴とする請求項７乃至１０のいずれかに記載の神輿の親棒又は脇棒と横棒とを連結する連結部材。
【請求項１２】
覆部本体２０の該棒との接触面に羅紗等を含む布部材又はゴム部材を配設したことを特徴とする請求項７乃至１１のいずれかに記載の神輿の親棒又は脇棒と横棒とを連結する連結部材。
【発明の詳細な説明】
【技術分野】
【０００１】
本発明は、神輿の親棒又は脇棒と横棒とを連結する連結構造及び連結部材に関し、より具体的には親棒又は脇棒と横棒との交差部に親棒又は脇棒に嵌着する覆部からなる連結部材と横棒に嵌着する覆部からなる連結部材によって神輿の親棒又は脇棒と横棒とを連結する連結構造及び連結部材に関する。
【背景技術】
【０００２】
従来より、多くの神社においては祭礼の日に氏神が氏子の住んでいる地域内を巡行するため神輿を出して、氏子が該神輿を担いで該地域内を回るものである。  従って、祭礼の日には神輿を組み立てて巡行の準備を行なう。
この場合、神輿は台輪の上に鳳凰等を載置した屋根を有する本殿を有し、この台輪に親棒二本を前後方向に嵌入し、更にこの親棒と平行であって、それぞれの親棒の外側方向に一本ずつ計二本の脇棒を添え、更にこの親棒と脇棒とに亘って垂直方向に計二本のいわゆるとんぼと称する横棒を神輿の前後方向に配するものである。
更に、該直角方向で横棒と交わる親棒及び脇棒のそれぞれの交差箇所においては麻紐からなる結紐で結んでそれぞれを連結しているものである。
従って、台輪に嵌入連設している親棒と、横棒を介して脇棒とがそれぞれ結紐できっちりと固定され、氏子等の担ぎ手がこの親棒と脇棒を肩の上に担いでいわゆる神輿を担ぐ状態において巡行するものであり、この親棒及び脇棒で神輿を支える事を可能としているものである。
【０００３】
即ち、現在の神輿は本殿や台輪等と共に親棒、脇棒、横棒等を含めた総重量は重いもので約１トン乃至２トン近くあり、いわゆる千貫神輿と称される神輿も存在することから、それに応じた人数の担ぎ手が担ぐためには担ぎ棒である親棒のみならず脇棒は必要であり、更には担いだ状態での横方向の傾きを制御する脇棒は必要な担ぎ棒となる。
この場合、脇棒は親棒とは接しておらず横棒と交差して接するものであることから、親棒と横棒の交差部における連結、脇棒と横棒の交差部における連結は確実にしっかりと麻紐からなる結紐で結び付けておくことが必要である。
更にいわゆる宮神輿に限らず、氏子の町内において有するいわゆる町内神輿や子供神輿等においても同様にその多くは親棒と共に脇棒を有し、これらは麻紐からなる結紐で横棒ときっちりと連結されているものである。
以上の様に、神輿の親棒と横棒の交差部の連結、脇棒と横棒の交差部の連結はきっちりと連結することが必要であることから従来より鳶職の専門職人がきっちりと結んでいたものである。
【発明の開示】
【発明が解決しようとする課題】
【０００４】
この場合、神輿は担ぎ手により上下動しながら移動するが、重量のある神輿を支える親棒や脇棒等の担ぎ棒を連結する結紐は、親棒と横棒の交差部の連結、脇棒と横棒の交差部の連結はそれぞれにおいて、各棒がずれずに連結状態を維持することが必要であり、結紐は伸びがなくきっちりと結ぶことのできる麻紐である必要であり、又、前記のように鳶職の専門職人により結ばれることが必要である。
更には神輿は担ぎ手により上下動しながら移動するが、担ぎ手の呼吸が合わない場合には親棒や脇棒のそれぞれの場所で上下別々にゆすられ、いわゆる揉んだ状態になる場合もあり、親棒と横棒の交差部の連結、脇棒と横棒の交差部の連結は確実にしっかりと行うことが必要である。
これに対して、近年麻紐自体が少くなり、又極めて高価となってきていることから、なかなか手に入りにくくなっているものである。
更には、結び手である専門職人も少くなってきており、安全にきっちりと結ぶことが困難となりつつある。
以上の様に、重量のある神輿を担ぐ際に、担ぐべき親棒と脇棒とを横棒にきっちりと連結するための何等かの解決が求められている。
【課題を解決するための手段】
【０００５】
本発明は上記課題を解消し、麻紐を用いずかつ専門の職人によらずに簡単に親棒又は脇棒と横棒とを連結できる神輿の親棒又は脇棒と横棒とを連結する連結構造を提供するものであり、請求項１に係る発明は親棒又は脇棒と横棒との交差部分において親棒又は脇棒と横棒との接触面以外の面を覆うと共に親棒又は脇棒の他の外周面の形状に合致した覆部本体と、覆部本体から交差面に略平行方向に該棒の幅方向両側に突出した鍔部と、該鍔部に係止部材とを有する親棒又は脇棒の覆部と、親棒又は脇棒と横棒との交差部分において親棒又は脇棒と横棒との接触面以外の面を覆うと共に横棒の他の外周面の形状に合致した覆部本体と、覆部本体から交差面に略平行方向に該棒の幅方向両側に突出した鍔部と、該鍔部に係止部材とを有する横棒の覆部とからなり、神輿の親棒又は脇棒と横棒との交差部分に、親棒又は脇棒の覆部を親棒又は脇棒に嵌着すると共に横棒の覆部を横棒に嵌着し、それぞれの鍔部に設けた係止部材により親棒又は脇棒の覆部と横棒の覆部とを接触面方向に圧着することにより神輿の親棒又は脇棒と横棒とを連結する連結構造であり、本発明により前記課題を解決できる。
【０００６】
或いは、各棒がいわゆる角棒でない場合であっても請求項２に係る発明の様に、親棒又は脇棒と横棒との交差部分において親棒又は脇棒と横棒との接触部分以外であって少なくとも接触部分の対向面の形状に合致した部分を有する親棒又は脇棒を覆う覆部本体と、覆部本体から交差部分に略平行方向に該棒の幅方向両側に突出した鍔部と、該鍔部に係止部材とを有する親棒又は脇棒の覆部と、親棒又は脇棒と横棒との交差部分において親棒又は脇棒と横棒との接触部分以外であって少なくとも接触部分の対向面の形状に合致した部分を有する横棒を覆う覆部本体と、覆部本体から交差部分に略平行方向に該棒の幅方向両側に突出した鍔部と、該鍔部に係止部材とを有する横棒の覆部とからなり、神輿の親棒又は脇棒と横棒との交差部分に、親棒又は脇棒の覆部を親棒又は脇棒に嵌着すると共に横棒の覆部を横棒に嵌着し、それぞれの鍔部に設けた係止部材により親棒又は脇棒の覆部と横棒の覆部とを圧着する連結構造を用いることによって丸棒等の他の形状の棒にも応用できる。
これらの場合請求項３に係る発明のように棒の側面又は高さ方向に位置する覆部本体の側面が棒の側面又は高さよりやや短いものであってもよい。
【０００７】
更に請求項４に係る発明の様に、親棒又は脇棒の覆部と横棒の覆部とを両者の両鍔部を接する様に９０度ずらせて向き合わせた場合に、少なくとも両鍔部の四隅の鍔部が重なるそれぞれの鍔部を有し、該重なる部分にそれぞれ係止部材を有する前記した各連結構造を用いることにより前記課題を解決できる。
或いは請求項５に係る発明の様に、親棒又は脇棒の幅方向の長さと親棒又は脇棒の覆部の両鍔部の幅方向の長さの和と、横棒の覆部の鍔部の長手方向の長さとが略一致すると共に、該鍔部の重なる部分にそれぞれ係止部材を有するものであれば不要な突出部を形成せずに安全に用いることができる。
この他、請求項６に係る発明の様に覆部の鍔部の係止部材が孔よりなり、親棒又は脇棒の覆部の鍔部の孔と横棒の覆部の鍔部の孔とが配設の際同一軸芯上に位置するものであり、親棒又は脇棒の覆部の鍔部の孔と横棒の覆部の鍔部の孔とにボルトを挿通した両者を連結する連結構造を用いることにより強度な連結を可能とする。
【０００８】
これらの連結構造に際しては請求項７に係る発明のように少なくとも神輿の親棒又は脇棒と横棒との交差部分において親棒又は脇棒又は横棒のいずれかに配設し、神輿の親棒又は脇棒と横棒とを連結する連結部材であって、該交差部分の接触面以外の面を覆うと共に該棒の他の外周面の形状に合致した覆部本体と、覆部本体から交差面に略平行方向に該棒の幅方向両側に突出した鍔部と、該鍔部に形成した係止部材とを有する覆部からなる連結部材を用いることにより極めて簡単に用いることができる。
或いは請求項８に係る発明の様に該交差部分の接触部分以外であって少なくとも接触部分の対向面の形状に合致した部分を有する該棒を覆う覆部本体と、覆部本体から交差部分に略平行方向に該棒の幅方向両側に突出した鍔部と、該鍔部に形成した係止部材とを有する覆部からなる連結部材を用いてもよい。
又、請求項９に係る発明の様に棒の側面又は高さ方向に位置する覆部本体の側面が棒の側面又は高さよりやや短いものであってもよい。
これらの場合、この連結部材は請求項１０に係る発明の様に覆部の鍔部と覆部の覆部本体との間にリブ部を有するものであっても、或いは請求項１１に係る発明のように覆部及び／又はリブ部が金属製部材より構成されているものであっても、請求項１２に係る発明の様に覆部本体の該棒との接触面に羅紗等を含む布部材又はゴム部材を配設した連結部材を用いてもよい。
【発明の効果】
【０００９】
まず、請求項１に係る発明により麻紐を用いずかつ専門の職人によらずに簡単に親棒又は脇棒と横棒とを連結できると共にその取り外しも容易であり、更には親棒又は脇棒と横棒とをずれや外れ等せずに確実に連結できることから安全性の確保も可能である。
特に重量のある神輿を揺すっても連結部分が緩む等の弊害が生ぜずにきっちりと連結ができるものである。
次に請求項２に係る発明により、神輿に使用される棒がいわゆる角棒である場合に限らず丸棒や他の形状の棒であっても同様に麻紐を用いずかつ専門の職人によらずに簡単に親棒又は脇棒と横棒とを連結でき、かつその連結は強固に行えるという効果を有する。
これらの場合、請求項３に係る発明により両覆部の鍔部間の間を広く採ることができ、連結の強度を上げることができるという効果を有する。
【００１０】
又、請求項４に係る発明により、親棒又は脇棒の覆部と横棒の覆部とを嵌着配設した際、両者の鍔部が重なることとなり、この鍔部の係止部材によりきっちりと強固に取り付ける事ができるという効果を有する。
請求項５に係る発明によれば、親棒又は脇棒の覆部と横棒の覆部とを嵌着配設した際、両者の鍔部が一致して不要な突出部を形成せずに安全に用いることができ、更には両者の鍔部が重なることとなり両者の係止の便宜が図れるという効果を有する。
請求項６に係る発明によれば、親棒又は脇棒の覆部と横棒の覆部とを両者の係止部材である孔を介してボルトにより強固に連結できるという効果を有する。
又、請求項７に係る発明によれば本連結構造に用いるべき覆部からなる連結部材を提供できるという効果を有する。
請求項８に係る発明によっても同様に例えば丸棒等の棒に対しても用いることのできる本連結構造に用いるべき覆部からなる連結部材を提供できるという効果を有する。
【００１１】
これらの場合、請求項９に係る発明によれば請求項３に係る発明と同様に両覆部の鍔部間の間を広く採ることができ、連結の強度を上げることができるという効果を有する。
請求項１０に係る発明のリブ部によって特に鍔部の強度を増すことができ、不要なる鍔部の変形を防ぎ、強固なる連結を図ることができるという効果を有する。
又、請求項１１に係る発明によって、部材自体を極めて強度の高い部材によって構成でき、連結の強度を高めることができるという効果を有する。
更に請求項１２に係る発明によって、神輿の棒に対して傷等を付ける事を防げると共に棒から伝わる担ぎ手の力を弱めて連結部材に伝えることができるという効果を有する。
【発明を実施するための最良の形態】
【００１２】
本発明は、親棒１０と脇棒とを横棒１２にきっちりと連結するため神輿１の担ぎ棒の連結構造であり、図１は親棒１０と横棒１２とが本発明に係る神輿の担ぎ棒の連結構造の一実施例により連結している状態を示す一部拡大図である。
尚、本図は親棒１０と横棒１２の連結構造を示すが、親棒１０に代えて脇棒と横棒１２との連結構造に用いても同様である。
まず、親棒１０の上部であってこの親棒１０と直交する直角方向に横棒１２が載置されており、この両者の交差部にそれぞれ親棒１０と横棒１２との接触面１００、１２０以外を覆う該棒の外周の形状に合致した覆部２、２´を配設し、それぞれの覆部２、２´の鍔部２３、２３´の孔２４、２４´同志をボルト２５止めして連結しているものである。
即ち、まず親棒１０の覆部２に関しては、親棒１０と横棒１２との交差部であって親棒１０の横棒１２との接触面１００以外の面を覆う該棒１０の外周の形状に合致した覆部本体２０と、交差面に平行に棒の幅方向両側に突出した鍔部２３とを有するものであり、本図に示す角棒状態の親棒１０には、親棒１０の底面部１０１を覆う底部覆部２１と親棒１０の両側面１０２を覆うそれぞれの側面覆部２２とを有し、この側面覆部２２は親棒１０の側面の高さとほぼ同様又はやや短い高さを有する側面覆部２２であって、底部覆部２１と側面覆部２２とは連設形成されている。
【００１３】
更に側面覆部２２の開口方向の端辺部２０１には外側方向に向かって鍔部２３が連設形成されていると共にこの鍔部２３には係止部材である孔２４が設けられている。
この様な鍔部２３と側面覆部２２との間にはリブ部２６が設けられ、鍔部２３が側面覆部２２方向又は開口方向に折れ曲がることを阻止している。
この様な親棒１０の上部に載置されている横棒１２にも同様に覆部２´が配置されており、親棒１０との接触面１２０以外の面を覆う該棒１２の外周の形状に合致した覆部本体２０´と、交差面と平行に棒１２の幅方向両側に外側へ突出した鍔部２３´とを有する。
即ち、横棒１２の上面１２１を覆う上部覆部２１´と横棒１２の両側面１２２を覆うそれぞれの側面覆部２２´とを有し、この側面覆部２２´は横棒１２の側面１２２の高さとほぼ同様又はやや短い高さを有する側面覆部２２´であって、上部覆部２１´と側面覆部２２´とは連設形成されている。
【００１４】
更に側面覆部２２´の開口方向の端辺部２０１´には外側方向に向かって鍔部２３´が連設形成されていると共にこの鍔部２３´には係止部材である孔２４´が設けられている。
この様な鍔部２３´と側面覆部２２´との間にはリブ部２６´が設けられ、鍔部２３´が側面覆部２２´方向又は開口方向に折れ曲がることを阻止している。  この様に、親棒１０と横棒１２が交差し、該交差箇所の親棒１０と横棒１２とにそれぞれ覆部２、２´を配置すると、親棒１０の覆部２の鍔部２３は該交差部の横棒１２の幅方向に突出することとなり、更に横棒１２の覆部２´の鍔部２３´は該交差部の親棒１０の幅方向に突出することとなる。
この場合、両者の鍔部２３、２３´の重なり合う部分であって同一軸芯上にはそれぞれ孔２４、２４´を有しており、この両者の孔２４、２４´を連通するボルト２５を嵌入してナット等で締め止めすることにより、親棒１０の覆部２と横棒１２の覆部２´とをそれぞれ横棒、親棒方向の接触面方向に圧着することができる。
この場合覆部２、２´同志が接している必要はなく、棒を圧着状態で覆部２、２´２同士が圧着していればよい。
以上の様に、重量のある神輿１であっても親棒１０と横棒１２の交差部において両者がずれることや外れることがなくきっちりと連結することができる。
【００１５】
尚、覆部２、２´の鍔部２３、２３´によって両者を連結しているものであることから、この鍔部２３、２３´には多大な力が掛るが、リブ部２６、２６´を設けていることから鍔部２３、２３´の変形を阻止できるものである。
又、覆部２、２´の親棒１０、脇棒或いは横棒１２との接触面には例えば羅紗等の布部材２７やゴム部材を有することにより角棒の接触面の保護が図れると共に角棒に掛った力の衝撃を低減することが可能である。
更に、本図においてはボルトとナットで両者を締め付けるが、例えば一の覆部２の鍔部２３に捩子部を有し、他の覆部２´の鍔部２３´には孔を有し、該捩子部をこの孔に嵌入してナット等で締め付けることにより両者を止着する係止部材を有するものであってもよい。
或いは他の公知の係止部材を用いて両者を止着するものであってもよい。
従って、少なくともそれぞれの覆部２、２´の鍔部２３、２３´に係止部材を有し、その係止部材同士により或いは鍔部に設けた係止部材を介して別係止部材を更に用いて両者を止着するものであってもよい。
【００１６】
以上の様に親棒１０又は脇棒と横棒１２とのそれぞれの覆部２、２´は、それぞれ９０度ずらして配設するものであり、例えば同一の太さ形状の担ぎ棒であれば、同じ形状の覆部２、２´からなる連結部材をそれぞれに配置することにより、本連結構造を構成できるものである。
図２は、図１に示す神輿１の親棒１０、脇棒或いは横棒１２からなる担ぎ棒の連結構造の覆部２からなる各連結部材を示す図であり、交差する担ぎ棒の接触面１００に対向する面１０１に位置する底部又は上部覆部２１と、交差する担ぎ棒の接触面１００にそれぞれ連接する側面を覆う側面覆部２２と、この側面覆部２２の開口方向の端辺部２０１には外側方向に向かって鍔部２３を有し、略Ｕ字形状の本体２０に鍔部２３を有する覆部２からなる。
更に鍔部２３と側面覆部２２との間にはリブ部２６が設けられている。
この様な鍔部２３の両端方向にはそれぞれ孔２４が設けられており、係止部材を構成する。
尚、本覆部２に関しては、例えば金属部材等より構成されることが最も強度を保つことができ望ましいが、強度を確保可能である硬質樹脂製の部材で構成されるものであってもよい。
【００１７】
例えば、各部材を溶接等により成形するのみならず、一の鉄板等を折り曲げ成形することにより底部又は上部覆部２１と両側面覆部２２と鍔部２３とを形成し、更にリブ部２６を溶接形成して製造するものであってもよい。
尚、底部又は上部覆部２１と両側面覆部２２は、それぞれ担ぎ棒の面形状に合致した形状であることが最も望ましいが、これに限らず若干形状が異なるものであってもよく、少なくとも覆部２内にきっちりと担ぎ棒が止着可能であればよい。
特に担ぎ棒として角棒を用いずに丸棒を用いた場合等においては、底部又は上部覆部２１は棒の形状に合致した断面弧状形状で構成し、両側面覆部２２は弧状形状のみならず平面形状を用いたものであってもよい。
これによっても、しっかりと止着可能である。
本図に示すように親棒１０又は脇棒と横棒１２との各連結部材は、両者の両鍔部２３、２３´を接する方向で９０度ずらせて向き合わせて棒に嵌着するものであり、鍔部２３のそれぞれの四隅が他の鍔部２３´のそれぞれの四隅に９０度ずれて重なると共に該重なる位置に係止部材が配設されているものである。
【００１８】
図３は、図１に示す止着状態を分解した状態を示す図である。
この様に親棒１０と横棒１２との交差部に上下方向からそれぞれ覆部２、２´を配設して、ボルト２５等によって締め付けることにより、きっちりと親棒１０と横棒１２とを止着でき、更にはボルト２５等を緩めて外すことにより、簡単に取り外しができる。
尚、例えば本図に示すように親棒１０の交差面である接触面１００と対向する面１０１には覆部２の配設位置を特定し、底部覆部２１の端辺を係止可能な押さえ部１０３を形成してもよい。
本図では底部覆部２１の配設位置に凹みを設け、この底部覆部２１を嵌め込み可能に形成した状態を示すものであり、この凹みの外部端辺部の位置が押さえ部１０３となる。
更に、本図においては親棒１０の交差部の交差面である接触面１００には凹部１０４を有し、横棒１２の交差部の交差面である接触面１２０には凸部１２４を有している。
この親棒１０の凹部１０４に横棒１２の凸部１２４を嵌入することにより、定位置できっちりと親棒１０と横棒１２とを交差できると共に、神輿組立時の位置決めの便宜が図れ、神輿１を担いでいる際の棒同士のずれを防ぐ事ができる。
【００１９】
図４は、神輿１の親棒１０及び脇棒１１に関し、横棒１２との接触部分で本発明に係る神輿の担ぎ棒の連結部材を用いて、神輿１を構成した状態を示す神輿全体の上面図である。
本図に示す様に親棒１０及び脇棒１１のそれぞれの横棒１２との接触部分である交差部が本発明に係る神輿の担ぎ棒の連結部材を用いて連結されており、それぞれの交差部がきっちりと止着されており、神輿１を担いだ際にも何等棒同士がずれることがないばかりでなく外れることもなく、安全に神輿を担ぐことができる。
図５は、図４の側面から視認した状態を示す図であり、脇棒１１と横棒１２とはその交差部で本発明に係る神輿の担ぎ棒の連結部材によりきっちりと止着されている。
尚、この連結部材の配設箇所は通常は横棒１２が邪魔であることから担ぎ手は肩を入れないが、安全のために或いは担いでしまった際の担ぎ易さを考慮して晒等を巻いておくことによりこの部分で担ぐことも可能である。
もとより担ぎ棒の形状に合致していることから、違和感なく担ぐことも可能である。
【実施例１】
【００２０】
図６は、親棒１０が角棒であり、横棒１２が丸棒である場合の本発明に係る神輿の担ぎ棒の連結部材の覆部の一実施例を示す図である。
本図に示すように親棒１０に配置する覆部２の底部は棒が角棒であることから底部覆部２１は平面形状であり、更に側面覆部２２も平面形状で端辺部２０１には鍔部２３を有する。
横棒１２は丸棒であることから覆部２´の上面部覆部２１´は断面弧状形状よりなり、更に側面覆部２２´は平面形状からなり、端辺部２０１´には鍔部２３´を有する。
従って、接触部分の対向面である丸棒１２の弧状の形状に合致した弧状形状部分と、いわゆる丸棒１２の側面を覆う部分とからなる覆部本体２０´と、覆部本体２０´から交差部分に略平行方向に該棒１２の幅方向両側に突出した鍔部２３´とからなっているものである。
更に各鍔部２３、２３´にはそれぞれ両端部方向に係止部材である孔２４、２４´を有している。
この鍔部２３、２３´同志は係止部材である孔２４、２４´にボルト２５を挿入して両者を係止している。
これにより、丸棒１２は覆部２´の弧状形状部分によりきっちりと押さえられ、棒の交差方向に止着されることとなる。
従って、前記した角棒に限らず丸棒においても本発明に係る神輿の担ぎ棒の連結部材を用いることができる。
本図には示していないが、例えば脇棒が丸棒で横棒が丸棒であっても覆部の接触面の対向面が断面弧状形状で、更に側面覆部を平面形状或いは必要に応じて弧状形状に構成することにより、鍔部同志の係止部材を介して両覆部を止着することができる。
【実施例２】
【００２１】
図７は、交差した棒同士の太さが異なる場合の本発明に係る神輿の担ぎ棒の連結部材の覆部２、２´の一実施例を示す図である。
本図に示すように脇棒１１は横棒１２よりも太い角棒からなり、脇棒１１に配置する覆部２の底部覆部２１は平面形状であり、更に側面覆部２２も平面形状で端辺部２０１には鍔部２３を有する。
横棒１２は脇棒１１より細い角棒からなり、同様に覆部２´の上部覆部２１´は平面形状であり、更に側面覆部２２も平面形状で端辺部２０１´には鍔部２３´を有する。
更に、この鍔部２３、２３´同志は係止部材である孔２４、２４´にボルト２５を挿通して両者をボルト止めにて係止している。
この場合、横棒１２の覆部２´は少なくとも脇棒１１の幅及び脇棒１１の覆部２の鍔部２３の幅の長さまで横棒１２を覆うことが必要であり、又脇棒１１の覆部２は横棒１２の幅及び横棒１２の覆部２´の鍔部２３´の幅の長さ迄脇棒１１を覆えばよく、両者に合致する程度の大きさの覆部２３、２３´を用いればよいこととなる。
従って、各種の大きさに応じて角棒を覆う覆部２３、２３´の長さを定めればよく、更には鍔部２３、２３´の幅をいかにするかで調整を図ることができる。  尚、仮に丸棒を用いた場合にも同様に合致する覆部を用いればよい。
【００２２】
以上の様に、脇棒１１に配置する覆部２の両鍔部２３、２３間の距離即ち脇棒１１の幅方向の長さと両鍔部２３、２３の幅方向の長さの和と、横棒１２の覆部２´の鍔部２３´の長手方向の長さとが一致する長さ乃至は脇棒１１に配置する覆部２の両鍔部２３、２３に横棒１２の覆部２´の鍔部２３´に重なる長さのそれぞれの鍔部２３、２３´を有していればよく、或いは逆に横棒１２に配置する覆部２´の両鍔部２３´、２３´間の距離即ち横棒１２の幅方向の長さと両鍔部２３´、２３´の幅方向の長さの和と、脇棒１１の覆部２の鍔部２３の長手方向の長さとが一致する長さ乃至は横棒１２に配置する覆部２´の両鍔部２３´、２３´に脇棒１１の覆部２の鍔部２３に重なる長さのそれぞれの鍔部２３、２３´を有していればよい。
即ち、一致する場合においては一の担ぎ棒の覆部２の鍔部２３の幅と棒の幅の和の長さと、他の担ぎ棒の覆部２´の鍔部２３´の長手方向の長さとが一致する鍔部２３、２３´をそれぞれ有していればよい。
即ち棒の太さに応じて覆部本体２０、２０´を構成した上で、鍔部２３、２３´の大きさで両覆部２、２´の鍔部２３、２３´の重なり部分を形成することにより、両覆部２、２´を連結することができるものである。
尚、係止部材として孔２４、２４´を用いる場合には、この両覆部２、２´の鍔部２３、２３´の重なり部分であって同一軸芯上に孔を設けることにより、ボルト止めを確実に行えるものである。
又、これらは脇棒と横棒の関係で明示しているが、脇棒を親棒に代えても同様である。
【図面の簡単な説明】
【００２３】
【図１】本発明に係る連結構造の一例を示す図
【図２】本発明に係る連結構造の一例を示す図
【図３】本発明に係る連結構造の一例を示す図
【図４】本発明に係る連結構造を神輿に用いた一例を示す図
【図５】本発明に係る連結構造を神輿に用いた一例を示す図
【図６】本発明に係る連結構造の他の一例を示す図
【図７】本発明に係る連結構造の他の一例を示す図
【符号の説明】
【００２４】
１        神輿
１０      親棒
１００    接触面
１０１    底面
１０２    側面
１０３    押え部
１０４    凹部
１１      脇棒
１１０    接触面
１１１    底面
１１２    側面
１２      横棒
１２０    接触面
１２１    上面
１２２    側面
１２４    凸部
２        覆部
２０      覆部本体
２０１    開口端辺部
２１      底部覆部・上部覆部
２２      側面覆部
２３      鍔部
２４      孔
２５      ボルト
２６      リブ部
２７      布製部材
【図１】
2005144031.tif 000003
【図２】
2005144031.tif 000004
【図３】
2005144031.tif 000005
【図４】
2005144031.tif 000006
【図５】
2005144031.tif 000007
【図６】
2005144031.tif 000008
【図７】
2005144031.tif 000009